(57)【要約】【課題】  道路の修正等に伴い改訂された既製のディジタル地図データを入力して、システム固有の必要情報を付加する編集作業の際、ディジタル地図データの改訂前後の差分情報を的確に表示して、編集作業の負荷を軽減する。【解決手段】  ディジタル地図データの改訂前後の差分情報を、道路などの物理的接続状態を示す接続情報、および各接続情報に付随する属性情報のそれぞれについて抽出して保持し、必要情報を付加する編集作業の際、上記接続情報および属性情報のそれぞれの差分情報を表示して作業を支援する。【選択図】        図１
2005156662.tif 000002
【特許請求の範囲】
【請求項１】
ディジタル地図データを入力してシステム固有の必要情報を付加させて編集し、表示用データに変換する編集変換手段を有するデータ処理装置と、上記表示用データを表示させる表示装置とを備えた地図情報システムにおいて、上記ディジタル地図データを入力すると、既に入力された既存ディジタル地図データと、両ディジタル地図データにおける、道路などの物理的接続状態を示す接続情報、および各接続情報に付随する属性情報のそれぞれについて比較し、それぞれの差分情報を抽出する比較抽出手段と、該抽出された差分情報を保持する記憶手段と、該差分情報を表示させる差分表示手段とを上記データ処理装置に備え、上記ディジタル地図データの入力に伴う上記編集変換手段による上記必要情報の付加時に、上記接続情報および属性情報のそれぞれの差分情報を閲覧可能としたことを特徴とする地図情報システム。
【請求項２】
２種のディジタル地図データを並行して入力可能とし、該２種のディジタル地図データの並行入力時には、上記比較抽出手段は、上記接続情報の差分情報を上記ディジタル地図データの一方から、上記属性情報の差分情報を上記ディジタル地図データの他方から、それぞれ抽出することを特徴とする請求項１記載の地図情報システム。
【請求項３】
新旧２種のディジタル地図データを並行して入力可能とし、該２種のディジタル地図データの並行入力時には、上記比較抽出手段は、上記差分情報を上記新ディジタル地図データから抽出し、上記旧ディジタル地図データに対し、上記新ディジタル地図データを参照して新データに編集する編集手段を備え、上記編集変換手段による上記必要情報の付加時に、編集、変換される元の地図データとして上記編集手段にて編集された新データを用いることを特徴とする請求項１記載の地図情報システム。
【請求項４】
上記編集変換手段は、過去の編集、変換処理の履歴から予め決められた編集作業データを保持し、該編集作業データおよび抽出された上記差分情報を参照して、上記必要情報を付加する自動編集を行うことを特徴とする上記請求項１〜３のいずれかに記載の地図情報システム。
【請求項５】
上記差分情報、あるいは上記編集変換手段により付加された情報のいずれかあるいは双方を上記表示装置にて表示可能としたことを特徴とする請求項１〜４のいずれかに記載の地図情報システム。
【発明の詳細な説明】
【技術分野】
【０００１】
この発明は、地図をディジタルデータとして処理し、システム固有の必要情報を付加して表示する地図情報システムに関し、特に、ディジタル地図データの改訂に伴う表示用データの更新に関するものである。
【背景技術】
【０００２】
地図情報システムでは、従来より基本となる既存地図データに各種施設マークや特殊道路等の付加価値の高い情報が追加された、より実用性の高いディジタル道路地図データ（付加価値データ）を作成して需要者に供給している。一方、基本となる既存地図データは、新規道路の追加、既存道路の修正等に伴いその都度、改訂され発行されている。これに伴い、付加価値データも、改訂された既存地図データに付加情報を再度、盛り込んで、新しい付加価値データに更新する必要がある。
従来の地図情報システムは、改訂前の既存地図データと付加価値データとの２つの道路地図データを比較し、共通部分及び差分を抽出する比較抽出手段を備えて、それを表示させることによって、改訂後の既存地図データに対し、手動作業により付加情報を入力し、新しい付加価値データに更新している（例えば、特許文献１参照）。
【０００３】
また、従来の別例の地図情報システムでは、現在の地図データベース（上記付加価値データに相当）の基礎を成す元データ（上記既存地図データに相当）と新たに入手した元データとの差分を抽出し、関連して更新される一纏まりのノードとリンクを編集単位として取り出し、編集単位毎の操作手順のリスト作成して、編集操作を実行して地図データを更新している（例えば、特許文献２参照）。
【０００４】
【特許文献１】特開平８−２４８８７５号公報
【特許文献２】特開平１０−１０９７０号公報
【発明の開示】
【発明が解決しようとする課題】
【０００５】
このような従来の特許文献１記載のシステムでは、既存地図データの改訂箇所を作業者が目視にて検出しながら、付加情報を入力する必要があり、新しい付加価値データの更新処理は、作業性の悪いものであった。
従来の特許文献２記載のシステムでは、改訂前後の地図データの差分を抽出して差分情報に基づいて編集操作リストを作成して、編集作業を支援している。しかしながら、改訂箇所として抽出する差分情報は、道路に相当するリンク、および交差点などに対応するノードについて、即ち物理的な接続状態を示す接続情報のみ考慮されており、それらに付随する属性情報の改訂、例えば国道ｘ番線がｙ番線に変更等の差分情報は検出されないものであった。このため、属性情報の改訂箇所を作業者が目視にて検出しながら、付加情報の入力などの編集作業を行う必要があり、システムが供給する地図データの更新処理の効率化には限界があった。
【０００６】
この発明は、上記のような問題点を解消するために成されたものであって、新規道路の追加、既存道路の修正等に伴い改訂された既製のディジタル地図データを入力して、必要情報を付加する編集作業の際、ディジタル地図データの改訂前後の差分情報を的確に表示することにより、上記編集作業の負荷を軽減し、表示用地図データを信頼性良く効率的に更新できる地図情報システムを得ることを目的とする。
【課題を解決するための手段】
【０００７】
この発明に係る地図情報システムは、ディジタル地図データを入力してシステム固有の必要情報を付加させて編集し、表示用データに変換する編集変換手段を有するデータ処理装置と、上記表示用データを表示させる表示装置とを備える。また、上記データ処理装置には、上記ディジタル地図データを入力すると、既に入力された既存ディジタル地図データと、両ディジタル地図データにおける、道路などの物理的接続状態を示す接続情報、および各接続情報に付随する属性情報のそれぞれについて比較し、それぞれの差分情報を抽出する比較抽出手段と、該抽出された差分情報を保持する記憶手段と、該差分情報を表示させる差分表示手段とを備える。そして、上記ディジタル地図データの入力に伴う上記編集変換手段による上記必要情報の付加時に、上記接続情報および属性情報のそれぞれの差分情報を閲覧可能としたものである。
【発明の効果】
【０００８】
このような地図情報システムでは、ディジタル地図データを入力すると、既に入力された既存ディジタル地図データとの差分情報を、接続情報と属性情報との双方で表示して閲覧可能にしたため、編集変換手段による必要情報の付加時に作業負荷が軽減でき、表示用地図データを信頼性良く効率的に更新できる。
【発明を実施するための最良の形態】
【０００９】
実施の形態１．
以下、この発明の実施の形態１による地図情報システムについて説明する。
図１は、この発明の実施の形態１による地図情報システムの概略構成を示す図である。
図に示すように、地図情報システムは、新規道路の追加、既存道路の修正等に伴い改訂される既製のディジタル地図データ１を入力してシステムが供給する表示用地図データ９を作成するデータ処理装置２と、表示用地図データ９を表示する表示装置１０とで構成される。
【００１０】
ディジタル地図データ１は、各ディジタル地図メーカが提供する既製の地図データであり、道路の物理的な接続を、ノードおよびリンクという概念でデータ化した道路接続情報１ａ（以下、接続データ１ａと称す）と、接続データ１ａに付随する道路属性情報１ｂ（以下、属性データ１ｂと称す）とで構成される。ノード、リンクはそれぞれ独自の番号をもって体系化されており、「ノード」とは、一般に、道路の交差点や折曲点を特定するための座標位置のことである。また、「リンク」とは、始点ノードと終点ノードをつないだものであって、道路の形に沿った折れ線ベクトルと理解できる。
また、１つのリンク中において道路の折曲点（補間点）の数を「補間点数」といい、その各位置座標を「補間点座標」という。これらの補間点数や補間点座標もノード、リンク番号と共にデータ化されている。各ディジタル地図メーカが提供する既製の地図データは、同じ対象領域の同時期の地図データであれば、ノード、リンクの番号体系は等しい。
【００１１】
データ処理装置２は、既に入力されて保持される既存ディジタル地図データ３と、ディジタル地図データ１が入力されると該ディジタル地図データ１と既存ディジタル地図データ３とを比較して差分を抽出する第一データ変換処理部４（以下、比較抽出処理部４と称す）と、抽出された差分情報５ａ、５ｂを保持する差分データ記憶部５と、差分情報５ａ、５ｂに関して、システム固有の必要情報を作業者が付加入力する編集入力処理部６と、付加入力された必要情報を用いてディジタル地図データ１を編集して、表示用の地図データに変換し、前回作成された既存の表示用地図データ９を更新する第二データ変換処理部８とを備える。なお、上記編集入力処理部６と第二データ変換処理部８とで、編集変換手段を構成する。
また、表示装置１０は、大画面制御装置１０ａを備えて大画面表示装置１０ｂに表示用地図データ９を表示する。
【００１２】
比較抽出処理部４は、ディジタル地図データ１と既存ディジタル地図データ３とにおける、接続データおよび属性データのそれぞれについて比較し、それぞれの差分情報である接続差異データ５ａ、属性差異データ５ｂを抽出して差分データ記憶部５に保持する。またこのとき、既存ディジタル地図データ３を、入力されたディジタル地図データ１により更新する。編集入力処理部６は、差分データ記憶部５に保持された接続差異データ５ａ、属性差異データ５ｂを差分表示部７にて表示させ、作業者が必要情報を付加入力する操作を支援する。第二データ変換処理部８は、既存の表示用地図データ９を参照し、比較抽出処理部４を介して入力されるディジタル地図データ１と、編集入力処理部６にて付加入力された必要情報とに基づいて、表示用地図データ９を再作成して更新する。
【００１３】
以下、動作の詳細を説明する。
図２は、比較抽出処理部４での処理を示すフローチャートである。
まず、比較対象地図データであるディジタル地図データ１について、ノードおよびリンクを確認し（Ｓ１）、全てのノードｉ（ｉはノード番号）についてＳ２〜Ｓ１２の処理を行う。
ノードｉについて、比較先地図データである既存ディジタル地図データ３に、同一番号、同一座標のノードが存在するか否か判定し（Ｓ２）、存在する場合、即ち一致するノードが存在する場合、該ノードに付加された属性データに変更点があるか否か判定する（Ｓ３）。Ｓ３にて属性データに変更点があれば、差分データ記憶部５のデータベースに属性差異データ５ｂを書き込み（Ｓ４）、変更点がなければ書き込みはスキップする。
次いで、接続先ノードまでのリンクを構成するノードおよび補間点の個数、座標が、既存ディジタル地図データ３に全て一致するか否か判定し（Ｓ５）、一致する場合、さらに該リンクに付加された属性データが、既存ディジタル地図データ３に等しいか否か判定する（Ｓ６）。Ｓ６にて属性データが等しければ属性データ変化なし（Ｓ７）として、全てのノードについて終了していない場合は（Ｓ１３）、次のノードに設定して（Ｓ１４）、Ｓ２に戻る。Ｓ１３にて全てのノードについて終了している場合は、比較抽出処理を終了する。
【００１４】
Ｓ５にて一致せず変更点がある場合、接続データに変更ありとして、差分データ記憶部５のデータベースに接続差異データ５ａを書き込む（Ｓ８）。次いで、該リンクに付加された属性データが、既存ディジタル地図データ３に等しいか否か判定する（Ｓ９）。Ｓ９にて属性データが等しければＳ７に移る。
Ｓ６、Ｓ９にて、該リンクに付加された属性データに変更点があれば、差分データ記憶部５のデータベースに属性差異データ５ｂを書き込み（Ｓ１０）、Ｓ１３に移る。
Ｓ２にて、一致するノードが存在しない場合、属性データ、接続データの双方が変更ありとなり、差分データ記憶部５のデータベースに属性差異データ５ｂおよび接続差異データ５ａを書き込み（Ｓ１１、Ｓ１２）、Ｓ１３に移る。
【００１５】
上述したように比較抽出処理部４により抽出された接続差異データ５ａ、属性差異データ５ｂを保持する差分データ記憶部５のデータベース構造の例を図３に示す。
この後、編集入力処理部６にて付加情報を作業者が入力する際、差分表示部７にて、接続差異データ５ａ、属性差異データ５ｂを表示させて、作業者が接続差異データ５ａ、属性差異データ５ｂを閲覧可能にしたため、容易に接続データおよび属性データの変更点が確認でき、必要情報を付加入力する作業負荷が格段と軽減できる。
差分表示部７での表示画面のイメージを図４に示す。この場合、既存ディジタル地図データ３から変更点があったリンクについて、画面上で色を変更して表示すると共に、属性差異データ５ｂを子ウィンドゥにて表示している。この他、例えば、変更箇所一覧を表形式で表示し、選択された場所周辺の地図にジャンプする機能などを備えても良い。
【００１６】
次いで、第二データ変換処理部８により、改訂された表示用地図データ９を作成するが、この処理は、各ディジタル地図メーカが提供したディジタル地図データを、システムの表示系で共通的に扱うデータ形式に変換するもので、各ディジタル地図データのデータフォーマットの差異を吸収することができる。
【００１７】
この実施の形態では、上述したように、編集入力処理部６にて付加情報を作業者が入力する際、差分表示部７にて、接続差異データ５ａ、属性差異データ５ｂを表示させて、作業者が接続差異データ５ａ、属性差異データ５ｂを閲覧可能にしたため、容易に接続データおよび属性データの変更点が確認でき、必要情報を付加入力する作業負荷が格段と軽減できる。このため、表示用地図データ９を信頼性良く効率的に更新できる。
【００１８】
実施の形態２．
以下、この発明の実施の形態２による地図情報システムについて説明する。
図５は、この発明の実施の形態２による地図情報システムの概略構成を示す図である。
上記実施の形態１では、データ処理装置２に入力される既製のディジタル地図データ１は１つとしたが、この実施の形態２では、図５に示すように、２種のディジタル地図データ１−１、１−２を入力してシステムが供給する表示用地図データ９を作成する。その他の構成は、上記実施の形態１と同様である。
２種のディジタル地図データ１−１、１−２は、例えば異なる地図メーカが提供した異種データであり、各ディジタル地図データ１−１、１−２は、上記実施の形態１で述べたように、道路接続情報（接続データ）１−１ａ、１−２ａと、接続データ１−１ａ、１−２ａに付随する道路属性情報（属性データ）１−１ｂ、１−２ｂとで構成される。
【００１９】
該２種のディジタル地図データ１−１、１−２が並行入力されると、比較抽出処理部４は、ディジタル地図データ１−１、１−２と既存ディジタル地図データ３とを比較して差分情報を抽出する。このとき、一方のディジタル地図データ１−１から接続データの差分情報である接続差異データ５ａを抽出し、他方のディジタル地図データ１−２から属性データの差分情報である属性差異データ５ｂを抽出し、それぞれ差分データ記憶部５に保持する。また、ディジタル地図データ１−１の接続データ１−１ａと、ディジタル地図データ１−２の属性データ１−２ｂとで、既存ディジタル地図データ３を更新する。
編集入力処理部６は、差分データ記憶部５に保持された接続差異データ５ａ、属性差異データ５ｂを差分表示部７にて表示させ、作業者が必要情報を付加入力する操作を支援する。第二データ変換処理部８は、既存の表示用地図データ９を参照し、比較抽出処理部４を介して入力されるディジタル地図データ１−１の接続データ１−１ａおよびディジタル地図データ１−２の属性データ１−２ｂと、編集入力処理部６にて付加入力された必要情報とに基づいて、表示用地図データ９を再作成して更新する。
【００２０】
この実施の形態においても、上記実施の形態１と同様に、編集入力処理部６にて付加情報を作業者が入力する際、差分表示部７にて、接続差異データ５ａ、属性差異データ５ｂを表示させて、作業者が接続差異データ５ａ、属性差異データ５ｂを閲覧可能にしたため、容易に接続データおよび属性データの変更点が確認でき、必要情報を付加入力する作業負荷が格段と軽減でき、表示用地図データ９を信頼性良く効率的に更新できる。
また、２種のディジタル地図データ１−１、１−２を並行入力して、一方のディジタル地図データ１−１から接続データの差分情報である接続差異データ５ａを抽出し、他方のディジタル地図データ１−２から属性データの差分情報である属性差異データ５ｂを抽出して、それを利用する。例えば、ディジタル地図データの種類によっては、属性データあるいは接続データの一方のみ利用したい場合があり、属性データのみ利用するディジタル地図データと接続データのみ利用するディジタル地図データとの異なる種類の２種のディジタル地図データに基づいて表示用地図データ９の更新を容易に行うことができ、表示用地図データ９作成の自由度が向上する。
【００２１】
実施の形態３．
以下、この発明の実施の形態３による地図情報システムについて説明する。
図６は、この発明の実施の形態３による地図情報システムの概略構成を示す図である。
この実施の形態３では、図６に示すように、例えば異なる地図メーカが提供した異なる２種のデータディジタル地図データ１−３、１−４を並行入力してシステムが供給する表示用地図データ９を作成する。ここで、一方のディジタル地図データ１−３は、新規道路の追加、既存道路の修正等に伴い改訂された新ディジタル地図データ１−３であるが、他方は、新ディジタル地図データ１−３に対して世代の古い旧ディジタル地図データ１−４である。２種のデータディジタル地図データ１−３、１−４は、道路接続情報（接続データ）１−３ａ、１−４ａと、接続データ１−３ａ、１−４ａに付随する道路属性情報（属性データ）１−３ｂ、１−４ｂとで構成される。
【００２２】
また、図に示すように、旧ディジタル地図データ１−４を、新ディジタル地図データ１−３を参照して新ディジタル地図データ１−３の世代に合わせた新地図データに編集する編集手段としての編集処理部１１を、データ処理装置２に備える。なお、編集処理部１１は、作業者による入力処理を含むものであっても良い。その他の構成は、上記実施の形態１と同様である。
該２種のディジタル地図データ１−３、１−４がデータ処理装置２に並行入力されると、比較抽出処理部４は、新ディジタル地図データ１−３と既存ディジタル地図データ３とを接続データおよび属性データのそれぞれについて比較し、それぞれの差分情報である接続差異データ５ａ、属性差異データ５ｂを抽出して差分データ記憶部５に保持する。また、このとき既存ディジタル地図データ３を、新ディジタル地図データ１−３により更新する。
【００２３】
編集処理部１１では、上述したように、新ディジタル地図データ１−３を参照して旧ディジタル地図データ１−４を、新ディジタル地図データ１−３の世代に合わせた新地図データ１−４４（図示せず）に編集する。
編集入力処理部６は、差分データ記憶部５に保持された接続差異データ５ａ、属性差異データ５ｂを差分表示部７にて表示させ、作業者が必要情報を付加入力する操作を支援する。第二データ変換処理部８は、既存の表示用地図データ９を参照し、比較抽出処理部４および編集処理部１１を介して入力される新ディジタル地図データ１−３と新地図データ１−４４とから得られる編集元地図データ、および編集入力処理部６にて付加入力された必要情報に基づいて、表示用地図データ９を再作成して更新する。ここでは、付加入力された必要情報を用いて編集元地図データを編集して、表示用の地図データに変換して表示用地図データ９を再作成するものであるが、編集元地図データは、新ディジタル地図データ１−３と新地図データ１−４４とを例えば、一方の接続データと他方の属性データとを合成するなどして作成しても良いし、新地図データ１−４４のみから作成しても良い。
【００２４】
この実施の形態においても、上記実施の形態１と同様に、編集入力処理部６にて付加情報を作業者が入力する際、差分表示部７にて、接続差異データ５ａ、属性差異データ５ｂを表示させて、作業者が接続差異データ５ａ、属性差異データ５ｂを閲覧可能にしたため、容易に接続データおよび属性データの変更点が確認でき、必要情報を付加入力する作業負荷が格段と軽減でき、表示用地図データ９を信頼性良く効率的に更新できる。
また、新旧２種のディジタル地図データ１−３、１−４を並行入力して、新ディジタル地図データ１−３から差分情報（接続差異データ５ａ、属性差異データ５ｂ）を抽出し、編集処理部１１にて旧ディジタル地図データ１−４を新地図データ１−４４に編集して、編集元地図データに用いるようにした。このため、古い世代のディジタル地図データを含む２種のディジタル地図データ１−３、１−４に基づいて表示用地図データ９の更新を容易に行うことができ、表示用地図データ９作成の自由度がさらに向上する。
【００２５】
実施の形態４．
以下、この発明の実施の形態４による地図情報システムについて説明する。
図７は、この発明の実施の形態４による地図情報システムの概略構成を示す図である。
この実施の形態では、過去の編集、変換処理の履歴により、編集作業データとしての自動作業用履歴データ１２を作成して保持し、作業者による付加情報の入力を行うに先立って、自動編集処理部１３にて、比較抽出処理部４からの差分情報と自動作業用履歴データ１２とに基づいて、必要情報を付加する自動編集を行う。図７に示すように、上記実施の形態２に自動編集機能を追加したもので、上記実施の形態２で作業者を介して付加入力していた必要情報の一部を、自動的に入力して地図データの編集を行うものである。この場合、編集入力処理部６、第二データ変換処理部８、自動作業用履歴データ１２および自動編集処理部１３で、編集変換手段を構成する。
【００２６】
次いで、残りの必要情報を編集入力処理部６にて作業者が入力するが、このとき、編集入力処理部６は、差分データ記憶部５に保持された接続差異データ５ａ、属性差異データ５ｂを差分表示部７にて表示させ、作業者が必要情報を付加入力する操作を支援する。この後、上記実施の形態２と同様に、第二データ変換処理部８は、表示用地図データ９を再作成して更新する。
【００２７】
ところで、システム固有の必要情報の付加は、主に、地図データに無い情報を追加する場合、また、地図データに含まれた情報を、見栄えを考慮して編集する場合等がある。例えば、地図データに無い情報を追加する場合で、さらに、あるリンク又はノードの位置によって追加される必要情報が決まる場合について、自動作業用履歴データ１２を作成して保持し、自動編集処理部１３にて必要情報を付加する自動編集を行うことができる。図８に、自動作業用履歴データ１２のデータ構造の例を示す。
【００２８】
この実施の形態では、編集入力処理部６にて付加情報を作業者が入力するに先立って、自動編集処理部１３にて必要情報を付加する自動編集を行うようにしたため、作業者によって入力する情報の個数が低減でき、必要情報を付加入力する作業負荷が格段と軽減できる。さらにその後、編集入力処理部６にて付加情報を作業者が入力する際においても、上記各実施の形態と同様に、差分表示部７にて、接続差異データ５ａ、属性差異データ５ｂを表示させて、作業者が接続差異データ５ａ、属性差異データ５ｂを閲覧可能にしたため、容易に接続データおよび属性データの変更点が確認でき、必要情報を付加入力する作業負荷が軽減できる。このため、システム固有の必要情報を付加させて入力されるディジタル地図データを編集、変換して表示用地図データ９を作成し、更新する処理が、一層、信頼性良く効率的に行える。
【００２９】
なお、この実施の形態では、上記実施の形態２に自動編集機能を追加した場合を示したが、このような自動編集機能は上記実施の形態１、３においても同様に適用できる。
【００３０】
実施の形態５．
以下、この発明の実施の形態５による地図情報システムについて説明する。
図９は、この発明の実施の形態５による地図情報システムの概略構成を示す図である。
この実施の形態では、上記実施の形態４において、差分データ記憶部５内の接続差異データ５ａ、属性差異データ５ｂを表示用地図データ９の一部として表示装置１０にて表示可能としたものである。差分データ記憶部５内の接続差異データ５ａ、属性差異データ５ｂは、データ処理装置２内の差分表示部７で表示させて、必要情報を付加入力する作業を支援するものであるが、表示用地図データ９の一部として表示装置１０にて表示させることにより、システム利用者が必要に応じて差分データ記憶部５内の接続差異データ５ａ、属性差異データ５ｂを容易に確認できる。
【００３１】
なお、この実施の形態では、差分情報（接続差異データ５ａ、属性差異データ５ｂ）を表示装置１０に表示可能としたが、編集入力処理部６にて入力された付加情報や自動編集処理部１３にて付加された付加情報などを、表示装置１０にて表示させてもよく、システム利用者が必要に応じて容易に確認できる。
また、この実施の形態は、上記実施の形態４に適用した場合について説明したが、上記実施の形態１〜３についても同様に適用できる。
【００３２】
さらに、上記各実施の形態では、表示装置１０にシステムが有する大画面表示装置１０ｂを用いたが、システムをインターネットなどのネットワークに接続して、ネットワークに接続される端末の画面にて表示させるようにしても良い。
【図面の簡単な説明】
【００３３】
【図１】この発明の実施の形態１による地図情報システムの概略構成を示す図である。
【図２】この発明の実施の形態１による比較抽出処理部での処理を示すフローチャートである。
【図３】この発明の実施の形態１による差分データ記憶部のデータベース構造の例を示す図である。
【図４】この発明の実施の形態１による差分表示部での表示画面のイメージを示す図である。
【図５】この発明の実施の形態２による地図情報システムの概略構成を示す図である。
【図６】この発明の実施の形態３による地図情報システムの概略構成を示す図である。
【図７】この発明の実施の形態４による地図情報システムの概略構成を示す図である。
【図８】この発明の実施の形態４による自動作業用履歴データのデータ構造の例を示す図である。
【図９】この発明の実施の形態５による地図情報システムの概略構成を示す図である。
【符号の説明】
【００３４】
１，１−１，１−２  ディジタル地図データ、１−３  新ディジタル地図データ、
１−４  旧ディジタル地図データ、
１ａ，１−１ａ，１−２ａ，１−３ａ，１−４ａ  接続データ、
１ｂ，１−１ｂ，１−２ｂ，１−３ｂ，１−４ｂ  属性データ、２  データ処理装置、
３  既存ディジタル地図データ、４  第一データ変換処理部（比較抽出処理部）、
５  差分データ記憶部、５ａ，５ｂ  差分情報（接続差異データ，属性差異データ）、
６  編集入力処理部、７  差分表示部、８  第二データ変換処理部、
９  表示用地図データ、１０  表示装置、１１  編集手段としての編集処理部、
１２  編集作業データとしての自動作業用履歴データ、１３  自動編集処理部。
【図１】
2005156662.tif 000003
【図２】
2005156662.tif 000004
【図３】
2005156662.tif 000005
【図４】
2005156662.tif 000006
【図５】
2005156662.tif 000007
【図６】
2005156662.tif 000008
【図７】
2005156662.tif 000009
【図８】
2005156662.tif 000010
【図９】
2005156662.tif 000011